【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
第１のユーザにより事前に指定された画像を表示するステップであって、前記画像は前記第１のユーザによりカスタマイズされたジェスチャパスワード入力インターフェースを備える、ステップ（Ｓ２０１）と；
前記画像についての第２のユーザの対話型操作を検出するステップ（Ｓ２０２）と；
検出した前記第２のユーザの前記対話型操作に基づき、前記第２のユーザの対話型操作情報を生成するステップ（Ｓ２０３）と；
前記第２のユーザが前記第１のユーザであるかどうかを、第２のユーザの対話型操作情報を標準情報と照合することにより特定するために、認証を実行するステップ（Ｓ２０４）と；を備える、
ユーザ認証の方法。
【請求項２】
前記画像についての前記第１のユーザの対話型操作に基づいて前記標準情報を生成するステップとして：
前記第１のユーザにより指定された前記画像を取得するステップ（Ｓ３０１）と；
前記画像を表示し、前記画像上で１つ以上の特徴領域を特定するステップ（Ｓ３０２）と；
前記１つ以上の特徴領域への前記第１のユーザの対話型操作を検出するステップ（Ｓ３０３）と；
検出した前記第１のユーザの前記対話型操作に基づいて前記標準情報を生成するステップ（Ｓ３０４）と；を備える、
請求項１に記載の方法。
【請求項３】
前記画像上で前記１つ以上の特徴領域を特定するステップは：
前記画像上で特徴検出を実行し、特徴検出により前記１つ以上の特徴領域を特定するステップ；及び／又は
前記指定画像上の、前記第１のユーザにより指定された１つ以上の領域を特定し、前記１つ以上の領域を前記特徴領域として用いるステップ；を備える、
請求項２に記載の方法。
【請求項４】
前記第１のユーザにより事前に指定された前記画像を表示するステップの前に、
前記１つ以上の特徴領域に設定を実行するステップを更に備え、前記設定は、前記第１のユーザにより事前に指定された前記表示された画像上で前記１つ以上の特徴領域をマーキングするかどうかを特定するために用いられる、
請求項２に記載の方法。
【請求項５】
前記画像上で１つ以上の特徴領域を特定するステップの後に、
各特徴領域についての対応する識別情報を生成するステップを更に備える、
請求項２に記載の方法。
【請求項６】
検出した前記第１のユーザの前記対話型操作に基づいて前記標準情報を生成する前記ステップは：
検出した前記第１のユーザの前記対話型操作に基づき、前記１つ以上の特徴領域についての前記第１のユーザの操作順序を特定するステップと；
前記操作順序を示すために用いられる特徴領域識別情報シーケンスを、前記１つ以上の特徴領域についての対応する前記操作順序及び識別情報に基づいて生成し、前記特徴領域識別情報シーケンスを前記標準情報として用いるステップと；を備える、
請求項５に記載の方法。
【請求項７】
検出した前記第２のユーザの前記対話型操作に基づいて、前記第２のユーザの前記対話型操作情報を生成するステップは：
前記第２のユーザの前記対話型操作が前記１つ以上の特徴領域についての前記第２のユーザの対話型操作を含む、と特定される場合に、前記１つ以上の特徴領域についての前記第２のユーザの操作順序を、検出された前記第２のユーザの前記対話型操作に基づいて特定するステップと；
前記操作順序を示すために用いられる特徴領域識別情報シーケンスを、前記１つ以上の特徴領域についての対応する前記操作順序及び前記識別情報に基づいて生成し、前記特徴領域識別情報シーケンスを前記第２のユーザの前記対話型操作情報として用いるステップと；を備える、
請求項６に記載の方法。
【請求項８】
前記第２のユーザが前記第１のユーザであるかどうかを前記第２のユーザの前記対話型操作情報を前記標準情報と照合することにより特定するために認証を実行するステップは：
前記第２のユーザの前記対話型操作情報と前記標準情報とが同一であるかどうかを、前記第２のユーザの前記対話型操作情報を前記標準情報と照合することにより特定するステップと；
肯定である場合に、前記第２のユーザを前記第１のユーザである、と認証するステップと；を備える、
請求項７に記載の方法。
【請求項９】
前記第２のユーザが前記第１のユーザであるかどうかを、前記第２のユーザの前記対話型操作情報を前記標準情報と照合させることにより特定するために前記認証を実行するステップは：
前記第２のユーザの前記対話型操作情報に対応する対話型操作と、前記標準情報に対応する対話型操作とが同一であるかどうかを、前記第２のユーザの前記対話型操作情報を前記標準情報と照合することにより特定し、肯定の場合に、前記第２のユーザを前記第１のユーザとして認証するステップ；又は、
前記第２のユーザの前記対話型操作情報に対応する対話型操作と、前記標準情報に対応する対話型操作との間の類似性が所定の類似性閾値を下回らないかどうかを、前記第２のユーザの前記対話型操作情報を前記標準情報と照合することにより特定し、肯定の場合に、前記第２のユーザを前記第１のユーザとして認証するステップ；を備える、
請求項１乃至請求項８のいずれか１項に記載の方法。
【請求項１０】
前記画像についての前記対話型操作は：
前記画像上での前記１つ以上の特徴領域へのタップ操作；及び／又は、
前記画像上に複数の特徴領域がある場合に、１つの特徴領域から別の特徴領域へのスライドを実行するスライド操作；を備える、
請求項１乃至請求項９のいずれか１項に記載の方法。
【請求項１１】
前記タップ操作は、タップ力、タップ時間、タップ回数及びタップ頻度を備える、
請求項１０に記載の方法。
【請求項１２】
前記スライド操作は、スライド力、スライド時間、スライド距離及びスライドトラックを備える、
請求項１０に記載の方法。
【請求項１３】
請求項１乃至請求項１２のいずれか１項に記載の方法を実行するように構成された複数のモジュールを備える、
ユーザ認証のための認証デバイス。
【手続補正２】
【補正対象書類名】明細書
【補正対象項目名】０１３２
【補正方法】変更
【補正の内容】
【０１３２】
上述のものは本願の一実施形態であるが、本願を限定するものではない。当業者は、本願に様々な修正及び変更を加えることができる。本願の主旨及び原理から逸脱せずに為されるあらゆる修正、均等物による代替、改善は、本願の特許請求の範囲に含まれるものである。
以下、本発明の実施の態様の例を列挙する。
［第１の局面］
第１のユーザにより事前に指定された画像を表示するステップと；
前記画像についての第２のユーザの対話型操作を検出するステップと；
検出した前記第２のユーザの前記対話型操作に基づき、前記第２のユーザの対話型操作情報を生成するステップと；
前記第２のユーザが前記第１のユーザであるかどうかを、第２のユーザの対話型操作情報を標準情報と照合することにより特定するために、認証を実行するステップと；を備える、
認証方法。
［第２の局面］
前記標準情報は、前記画像についての前記第１のユーザの対話型操作に基づいて：
前記第１のユーザにより指定された前記画像を取得し；
前記画像を表示し、前記画像上で１つ以上の特徴領域を特定し；
前記１つ以上の特徴領域への前記第１のユーザの対話型操作を検出し；
検出した前記第１のユーザの前記対話型操作に基づいて前記標準情報を生成する；ようにして生成される、
第１の局面に記載の認証方法。
［第３の局面］
前記画像上の１つ以上の特徴領域を特定する前記ステップは、具体的に：
前記画像上で特徴検出を実行し、特徴検出により前記１つ以上の特徴領域を特定するステップ；及び／又は
前記指定画像上の、前記第１のユーザにより指定された１つ以上の領域を特定し、前記１つ以上の領域を前記特徴領域として用いるステップ；を備える、
第２の局面に記載の認証方法。
［第４の局面］
第１のユーザにより事前に指定された画像を表示する前記ステップの前に、
前記１つ以上の特徴領域に設定を実行するステップを更に備え、前記設定は、前記第１のユーザにより事前に指定された前記表示された画像上で前記１つ以上の特徴領域をマーキングするかどうかを特定するために用いられる、
第２の局面に記載の認証方法。
［第５の局面］
前記画像上で１つ以上の特徴領域を特定する前記ステップの後に、
各特徴領域についての対応する識別情報を生成するステップを更に備え、
検出した前記第１のユーザの前記対話型操作に基づいて前記標準情報を生成する前記ステップは、具体的に：
検出した前記第１のユーザの前記対話型操作に基づき、前記１つ以上の特徴領域についての前記第１のユーザの操作順序を特定するステップと；
前記操作順序を示すために用いられる特徴領域識別情報シーケンスを、前記１つ以上の特徴領域についての対応する前記操作順序及び識別情報に基づいて生成し、前記特徴領域識別情報シーケンスを前記標準情報として用いるステップと；を備え、
検出した前記第２のユーザの前記対話型操作に基づいて、前記第２のユーザの対話型操作情報を生成する前記ステップは、具体的に：
前記第２のユーザの前記対話型操作が前記１つ以上の特徴領域についての前記第２のユーザの対話型操作を含む、と特定される場合に、前記１つ以上の特徴領域についての前記第２のユーザの操作順序を、検出された前記第２のユーザの前記対話型操作に基づいて特定するステップと；
前記操作順序を示すために用いられる特徴領域識別情報シーケンスを、前記１つ以上の特徴領域についての対応する前記操作順序及び前記識別情報に基づいて生成し、前記特徴領域識別情報シーケンスを前記第２のユーザの前記対話型操作情報として用いるステップと；を備える、
第２の局面に記載の認証方法。
［第６の局面］
前記第２のユーザが前記第１のユーザであるかどうかを前記第２のユーザの前記対話型操作情報を前記標準情報と照合することにより特定するために認証を実行する前記ステップは、具体的に：
前記第２のユーザの前記対話型操作情報と前記標準情報とが同一であるかどうかを、前記第２のユーザの前記対話型操作情報を前記標準情報と照合することにより特定するステップと；
肯定である場合に、前記第２のユーザを前記第１のユーザである、と認証するステップと；を備える、
第５の局面に記載の認証方法。
［第７の局面］
前記第２のユーザが前記第１のユーザであるかどうかを、前記第２のユーザの前記対話型操作情報を前記標準情報と照合させることにより特定するために認証を実行する前記ステップは、具体的に：
前記第２のユーザの前記対話型操作情報に対応する対話型操作と、前記標準情報に対応する対話型操作とが同一であるかどうかを、前記第２のユーザの前記対話型操作情報を前記標準情報と照合することにより特定し、肯定の場合に、前記第２のユーザを前記第１のユーザとして認証するステップ；又は、
前記第２のユーザの前記対話型操作情報に対応する対話型操作と、前記標準情報に対応する対話型操作との間の類似性が所定の類似性閾値を下回らないかどうかを、前記第２のユーザの前記対話型操作情報を前記標準情報と照合することにより特定し、肯定の場合に、前記第２のユーザを前記第１のユーザとして認証するステップ；を備える、
第１の局面に記載の認証方法。
［第８の局面］
前記画像についての前記対話型操作は：
前記画像上での前記１つ以上の特徴領域へのタップ操作；及び／又は、
前記画像上に複数の特徴領域がある場合に、１つの特徴領域から別の特徴領域へのスライドを実行するスライド操作；を備える、
第１乃至７の局面に記載の認証方法。
［第９の局面］
第１のユーザにより指定された画像を取得するステップと；
前記画像を表示し、前記画像上で１つ以上の特徴領域を特定するステップと；
前記１つ以上の特徴領域についての前記第１のユーザの対話型操作を検出するステップと；
第２のユーザが前記第１のユーザであるかどうかを特定するために認証を実行するべく、検出された前記第１のユーザの前記対話型操作に基づいて標準情報を生成するステップと；を備える、
認証のための情報を生成する方法。
［第１０の局面］
前記画像上で１つ以上の特徴領域を特定する前記ステップは、具体的に：
前記画像に特徴検出を実行し、特徴検出により前記指定画像上で前記１つ以上の特徴領域を特定するステップ；及び／又は
前記指定画像上で前記第１のユーザが指定した１つ以上の領域を特定し、前記１つ以上の領域を前記特徴領域として用いるステップ；を備える、
第９の局面に記載の認証のための情報を生成する方法。
［第１１の局面］
前記第１のユーザにより事前に指定された画像を表示するように構成された表示モジュールと；
前記画像についての第２のユーザの対話型操作を検出するように構成された検出モジュールと；
検出した前記第２のユーザの前記対話型操作に基づいて、前記第２のユーザの対話型操作情報を生成するように構成された生成モジュールと；
前記第２のユーザの前記対話型操作情報を前記標準情報と照合することにより、前記第２のユーザが前記第１のユーザである、と特定するために、認証を実行するように構成された認証モジュールであって、前記標準情報は前記画像についての前記第１のユーザの対話型操作に基づいて生成される、認証モジュールと；を備える、
認証デバイス。
［第１２の局面］
前記標準情報を前記画像についての前記第１のユーザの前記対話型操作に基づいて：
前記第１のユーザにより指定された前記画像を取得し；
前記画像を表示し、前記画像上で１つ以上の特徴領域を特定し；
前記１つ以上の特徴領域への前記第１のユーザの対話型操作を検出し；
検出した前記第１のユーザの前記対話型操作に基づいて前記標準情報を生成する；ように構成された標準情報モジュールを更に備える、
第１１の局面に記載の認証デバイス。
［第１３の局面］
前記標準情報モジュールは：
前記画像上で特徴検出を実行し、特徴検出により前記指定画像上で前記１つ以上の特徴領域を特定し；及び／又は、
前記指定画像上で前記第１のユーザにより指定された１つ以上の領域を特定し、前記１つ以上の領域を前記特定領域として用いる；ように構成される、
第１２の局面に記載の認証デバイス。
［第１４の局面］
前記標準情報モジュールは、前記表示モジュールが、前記第１のユーザにより事前に指定された前記画像を表示する前に、前記１つ以上の特徴領域についての設定を実行するように構成されており、前記設定は、前記第１のユーザにより事前に指定された前記表示された画像上の前記１つ以上の特徴領域をマーキングするかどうかを特定するために使用される、
第１２の局面に記載の認証デバイス。
［第１５の局面］
前記標準情報モジュールは：
前記１つ以上の特徴領域を特定した後に、対応する識別情報を各特徴領域について生成し；検出した前記第１のユーザの前記対話型操作に基づいて、前記１つ以上の特徴領域についての前記第１のユーザの操作順序を特定し；前記１つ以上の特徴領域についての対応する前記操作順序と、識別情報とに基づいて、前記操作順序を示すために用いられる特徴領域識別情報シーケンスを生成し、前記特徴領域識別情報シーケンスを前記標準情報として用い；
前記第２のユーザの前記対話型操作が前記１つ以上の特徴領域についての前記第２のユーザの対話型操作を含む、と特定される場合に、検出した前記第２ユーザの前記対話型操作に基づいて、前記１つ以上の特徴領域についての前記第２のユーザの操作順序を特定し；
前記１つ以上の特徴領域についての対応する前記操作順序及び前記識別情報に基づいて、前記操作順序を示すために用いられる特徴領域識別情報シーケンスを生成し、前記特徴領域識別情報シーケンスを前記第２のユーザの前記対話型操作情報として用いる；ように構成される、
第１２の局面に記載の認証デバイス。
［第１６の局面］
前記認証モジュールは、前記第２のユーザの前記対話型操作情報と前記標準情報とが同一であるかどうかを、前記第２のユーザの前記対話型操作情報を前記標準情報と照合することにより特定し；肯定の場合には、前記第２のユーザを前記第１のユーザとして認証するように構成される、
第１５の局面に記載の認証デバイス。
［第１７の局面］
前記認証モジュールは、前記第２のユーザの前記対話型操作情報と前記標準情報に対応する対話型操作とが同一であるかどうかを、前記第２のユーザの前記対話型操作情報を前記標準情報と照合することにより特定し、肯定の場合に、前記第２のユーザを前記第１のユーザとして認証する；又は、前記第２のユーザの前記対話型操作情報に対応する対話型操作と、前記標準情報に対応する対話型操作との間の類似性が所定の類似性閾値を下回らないかどうかを、前記第２のユーザの前記対話型操作情報を前記標準情報と照合することにより特定し、肯定の場合に、前記第２のユーザを前記第１のユーザとして認証する；ように構成される、
第１１の局面に記載の認証デバイス。
［第１８の局面］
前記画像についての前記対話型操作は：
前記画像上の前記１つ以上の特徴領域についてのタップ操作と；及び／又は、
前記画像上に複数の特徴領域がある場合には１つの特徴領域から別の特徴領域へのスライド操作を実行するスライド操作と；を備える、
第１１乃至１７の局面に記載の認証デバイス。
［第１９の局面］
第１のユーザにより指定された画像を取得するように構成された取得モジュールと；
前記画像を表示し、前記画像上で１つ以上の特徴領域を特定するように構成された表示及び特定モジュールと；
１つ以上の特徴領域についての前記第１のユーザの対話型操作を検出するように構成された検出モジュールと；
前記第２のユーザが前記第１のユーザであるかどうかを特定するために認証を実行するべく、検出した前記第１のユーザの前記対話型操作に基づいて、標準情報を生成するように構成された生成モジュールと；を備える、
認証のための情報を生成するデバイス。
［第２０の局面］
前記表示及び特定モジュールは、前記画像に特徴検出を実行して、特徴検出により前記指定画面上の前記１つ以上の特徴領域を特定する；及び／又は、前記第１のユーザが指定した１つ以上の領域を特定し、前記１つ以上の領域を前記特徴領域として用いる；ように構成される、
第１９の局面に記載の認証のための情報を生成するデバイス。